(57)【要約】  【課題】  持ち運びが楽な把手穴を有し、開口部を封着することのできる袋部材を提供することである。  【解決手段】  樹脂素材の対向する第１端縁１２及び第２端縁１４を持つ長方形状のウェブの各端縁を少なくとも突き合わせ、第１端縁１２を含む短い折り返し部分２０の第１端縁１２を封着し、第２端縁１４を含む側の長い折り返し部分１６の周囲縁部１８を相互に封着し、この第２端縁１４に沿って、食品その他の物品を出し入れするための開口部２４を形成し、第１端縁１２に沿って、この第１端縁１２と第２端縁１４とを共に覆う状態で開口部２４を封着するための細長い封着片２６を配置し、この封着材２８の一部が、短い折り返し部分２０の第１端縁１２に沿って封着片２６を固着させるためにも使用され、使用時には簡単に剥がすことのできる剥離シートが、封着材２８全体を覆うようにして配置されてなる袋部材。【選択図】  図１
2005138882.tif 000002
【特許請求の範囲】
【請求項１】
対向する第１端縁（１２）及び第２端縁（１４）を有するシート状の軟質樹脂素材を短長に各折り返して第１端縁（１２）及び第２端縁（１４）を突き合わせ、第１端縁を含む短い折り返し部分（２０）の少なくとも第１端縁を封着し、第２端縁（１４）を含む長い折り返し部分（１６）の周囲縁部を該第２端縁を残して封着することにより、第２端縁に沿って開口部（２４）を形成した袋部材（１０）であって、
前記長い折り返し部分（１６）に、前記開口部と、第１端縁及び第２端縁とを覆う封着片（２６）を固着した袋部材。
【請求項２】
対向する第１端縁（１２０）及び第２端縁（１４０）を有するシート状の軟質樹脂素材を短長に各折り返し、第１端縁（１２０）を含む短い折り返し部分（２００）の少なくとも第１端縁（１２０）を封着し、該第１端縁（１２０）を覆うようにして、第２端縁（１４０）を含む長い折り返し部分（１６０）の一部を短い折り返し部分（２００）に重ね合わせると共に、該長い折り返し部分（１６０）の周囲縁部を、前記第１端縁を覆う部分が未封着部分として残るように封着することにより、第１端縁（１２０）に沿って開口部（２４０）を形成し且つ前記未封着部分を封着片（２６０）とした袋部材（１００）。
【請求項３】
封着片が、袋部材の開口部を反復して開封することのできる封着材を内側に有し、該封着材を覆って剥離片を付着した請求項１あるいは２の袋部材。
【請求項４】
袋部材の内側に保温、保冷用のフォームシートをラミネートした請求項１〜３の何れかの袋部材。
【請求項５】
第１端縁を含む折り返し部分に把手穴（３０、３００）を形成した請求項１〜４の何れかの袋部材。
【発明の詳細な説明】
【技術分野】
【０００１】
本発明は開口部を封着可能な袋部材に関する。
【背景技術】
【０００２】
従来から、ポリエチレンのような比較的軟質の樹脂素材で作製した、例えば図５に示すような袋部材１が、食品その他の多様な物品を収納するために使用されている。
こうした袋部材１は、通常、所定長さのシート状の軟質樹脂素材を非対称の長さで２つに折り曲げ、短い方の折り曲げ部分３の両側部分５を溶着するなどして接着し、長い方の折り曲げ部分５の、折り曲げ部分３よりも長い部分を蓋部分７とし、折り曲げ部分３の端部位置に開口部９を形成したものが一般的である。
【０００３】
蓋部分７の内側端部付近あるいは開口部９の外側の何れかあるいはその両方には、閉じた蓋部分を再開封することができるような低封着性の、あるいは再開封できないような強封着性の封着材１１が塗布される。そしてこの封着材１１には使用に際して簡単に剥がすことのできる剥離片（図示せず）が配置される。
【０００４】
こうした袋部材１は物品を収納あるいは封入するために大変都合がよいものであるが、袋の構造上、手指を差し込むような穴を形成することができないために、これを持ち運ぶためには掴むか抱えるかする必要があり、収納した物品の形状によっては掴み損ねたり、うまく抱えることができなかったりすることがある。
【０００５】
例えば、登録実用新案公報第３０９４３１９号に示される袋部材のように、長い方の部材に把手用の穴を開けて持ち楽に運びができるようにしたものがある。しかしこの袋部材の場合、穴を開けた部材部分を、開口部を封着するための蓋として使うことができなくなるという問題がある。この登録実用新案では、把手穴を設けた部材部分を蓋部材として使用するともはや把手穴を利用することができなくなってしまうばかりか、蓋部材が封着されることもない。
【０００６】
【特許文献１】登録実用新案第３０９４３１９号公報
【特許文献２】特開２０００−３２６９９１号公報
【発明の開示】
【発明が解決しようとする課題】
【０００７】
持ち運びが楽な把手穴を有し、開口部を封着することのできる袋部材を提供することである。
【課題を解決するための手段】
【０００８】
本発明の１様相によれば、対向する第１端縁及び第２端縁を有するシート状の軟質樹脂素材を短長に各折り返して第１端縁及び第２端縁を突き合わせ、第１端縁を含む短い折り返し部分の少なくとも第１端縁を封着し、第２端縁を含む長い折り返し部分の周囲縁部を該第２端縁を残して封着することにより、第２端縁に沿って開口部を形成した袋部材であって、
前記長い折り返し部分に、前記開口部と、第１端縁及び第２端縁とを覆う封着片を固着した袋部材が提供される。
。
【０００９】
また、本発明の他の様相によれば、対向する第１端縁及び第２端縁を有するシート状の軟質樹脂素材を短長に各折り返し、第１端縁を含む短い折り返し部分の少なくとも第１端縁を封着し、該第１端縁を覆うようにして、第２端縁を含む長い折り返し部分の一部を短い折り返し部分に重ね合わせると共に、該長い折り返し部分の周囲縁部を、前記第１端縁を覆う部分が未封着部分として残るように封着することにより、第１端縁に沿って開口部を形成し且つ前記未封着部分を封着片とした袋部材が提供される。
【００１０】
また、本発明の他の実施例では、封着片が、袋部材の開口部を反復開封自在に封着するようにした封着材を内側に有し、この封着材を覆って剥離片が付着される。
【００１１】
本発明の他の実施例では、袋部材の内側に保温、保冷用のフォームシートがラミネートされる。
【００１２】
本発明の他の実施例では、第１端縁を含む短い折り返し部分に把手穴が形成される。
【００１３】
以下に、図１〜図４を参照して本発明の袋部材及びその構造を詳しく説明する。
図１及び図２には本発明の第１実施例における袋部材１０を示す。
袋部材１０を形成するためには先ず、先に説明した従来の袋部材１におけると同様、所定長さを有する樹脂素材、例えばポリエチレンのような軟質樹脂素材を、対向する第１端縁１２及び第２端縁１４を持つ長方形状のウェブとし、このウェブを短長に各折り返すことによってこれらの各端縁どうしが少なくとも突き合わされる状態にする。
【００１４】
次いで、第１端縁１２を含む短い折り返し部分２０の第１端縁１２を封着する。一方、第２端縁１４を含む側の長い折り返し部分１６の周囲縁部１８を、例えば溶着するなどによって相互に封着し、この第２端縁１４に沿って、食品その他の物品を出し入れするための開口部２４を形成する。短い折り返し部分２０は第１端縁だけでなくその周囲縁部２２も同様に相互に封着することができる。
【００１５】
本第１実施例では、第１端縁１２に沿って、この第１端縁１２と第２端縁１４とを共に覆う状態で開口部２４を封着するための細長い封着片２６を配置する。封着片２６は紙あるいはプラスチック等の任意の好適な素材から形成することができ、内側には開口部２４をぴったりと封着することのできる封着材２８が配置される。
この封着材２８の一部は、短い折り返し部分２０の第１端縁１２に沿って封着片２６を固着させるためにも使用される。封着材２８には、使用時に簡単に剥がすことのできる剥離シート（図示せず）が、この封着材２８全体を覆うようにして配置される。
【００１６】
他方、短い折り返し部分２０の中央位置には、袋部材１０を片手で楽に持つことができるようにするために指を差し込むことのできる把手穴３０が、例えば打ち抜き加工などによって形成される。把手穴３０は手指を差し込むことのできる任意の形状とすることができ、図示しないが補強用のプラスチック枠のようなものを周囲縁部に沿って取り付けることもできる。
【００１７】
本第１実施例の袋部材１０を使用するに際しては先ず、開口部２４を開き、この開口部２４を通して、長い折り返し部分１６によって構成される袋状部分に食品あるいはその他の任意の物品を収納する。次いで、長い折り返し部分１６の第２端縁１４に沿って固着した封着片２６から剥離シートを剥がして封着材２８を露出させ、この封着材２８を、第１端縁１２及び第２端縁１４を覆い且つ開口部２４を覆う状態で短い折り返し部分２０に封着させる。
【００１８】
袋部材１０から中身を取り出すに際しては、封着片２６そのものを剥ぎ取ってしまうか、あるいは再使用したい場合は開口部２４のみから引き剥がす。封着片２６を剥ぎ取ってしまった場合は新しい封着片を付け直すことで、また開口部２４のみから引き剥がして封着片２６そのものを長い折り返し部分１６に残しておく場合には剥離シートを付け直すことなどにより、何れの場合も袋部材１０を繰り返し使用することができるようになる。
【００１９】
次ぎに、本発明の第２実施例に関して図３及び図４を参照して説明する。
本第２実施例の袋部材１００も、先に説明した第１実施例におけると同様に、ウェブ状とした所定長さの樹脂素材の対向する第１端縁１２０及び第２端縁１４０を短長に各折り返して形成する。しかし第１実施例の場合とは異なり、本第２実施例ではこの折り返しに際して、第２端縁１４０が第１端縁１２０を覆ってある長さ乗り越えるようにして折り返す。
【００２０】
この後、第１実施例と同様にして第１端縁１２０を封着し、長い折り返し部分１６０の周囲縁部１８０を溶着等によって相互に封着し、一方、第１端縁１２０を乗り越えた部分については封着せずに残しておく。これにより、長い折り返し部分１６０の第１端縁１２０を乗り越えた部分の周囲縁部を自由端とする封着部分２６０を形成する。そして開口部２４０は、第１実施例とは異なって、この封着部分２６０の下方で且つ第１端縁１２０に沿って形成される。
第１実施例におけると同様に、短い折り返し部分２００はその第１端縁１２０のみならず周囲縁部２２０も封着することができる。
【００２１】
封着部分２６０の内側には開口部２４０を開封することができるように封着するための、第１実施例におけるそれと同じ封着材２８が配置され、使用時には簡単に剥がすことのできる剥離シート２９がこの封着材２８を覆って配置される。
【００２２】
短い折り返し部分２００には、第１実施例と同様に中央位置に、袋部材１００を片手で楽に持てるようにするための把手穴３００が、例えば打ち抜き加工などによって形成される。この把手穴３００も手指を差し込むことのできる任意の形状とすることができ、やはり図示しないが補強用のプラスチック枠のようなものをその周囲縁部に沿って取り付けることができる。
【００２３】
本第２実施例の袋部材１００を使用するに際しては先ず、開口部２４０を開き、この開口部２４０から、長い折り返し部分１６０により構成される袋状部分に食品あるいはその他の任意の物品を収納する。
次いで、封着部分２６０から剥離シート２９を剥がして封着材２８０を露出させ、この封着材２８０を開口部２４０と第１端縁１２０とを覆う状態で短い折り返し部分２００に封着させる。
【００２４】
袋部材１０から中身を取り出すに際しては、本第２実施例では封着部分２６０を短い折り返し部分２００から引き剥がすのみで良いが、この封着部分は長い折り返し部分１６０と同じ素材でできており、従って比較的丈夫であるため、例えば剥離シート付きの新しい封着材２８０を使用済みの封着材に重ねて合わせて貼り付けるなどすれば、第１実施例と同様に袋部材１０を繰り返して使用することができる。
【発明の効果】
【００２５】
持ち運びが楽な把手穴付きで且つ開口部を封着することのできる袋部材が提供される。
【図面の簡単な説明】
【００２６】
【図１】本発明の袋部材の第１実施例の正面図である。
【図２】図１の袋部材の部分側方断面図である。
【図３】本発明の袋部材の第２実施例の正面図である。
【図４】図３の袋部材の部分側方断面図である。
【図５】従来の袋部材の斜視図である。
【符号の説明】
【００２７】
１０  袋部材
１２、１２０  第１端縁
１４、１４０  第２端縁
１６、１６０  長い折り返し部分
１８、２２  周囲縁部
２０、２００  短い折り返し部分
２４、２４０  開口部
２６  封着片
２８  封着材
２６０  封着部分
３０、３００  把手穴
【図１】
2005138882.tif 000003
【図２】
2005138882.tif 000004
【図３】
2005138882.tif 000005
【図４】
2005138882.tif 000006
【図５】
2005138882.tif 000007